(57)【要約】  有機ＬＥＤに電力を供給するための電子駆動装置が提供され、電子駆動装置は、切り換え可能インダクタンス回路と、ＯＬＥＤに電力が最初に印加される際に、起動期間の間、電源とＯＬＥＤの間にインダクタンスを接続するためのコントローラとを含む。【選択図】図１
2013508892.tif 000002
【特許請求の範囲】
【請求項１】
少なくとも１つの大面積固体光源に電力供給するために電流を供給するように動作する電源と、
切り換え可能インダクタンス回路であって、前記電源と前記少なくとも１つの大面積固体光源との間に結合されたインダクタンスと、第１の状態では前記インダクタンスをバイパスし、第２の状態では電流が前記インダクタンスを通って前記電源から前記少なくとも１つの大面積固体光源に至ることを可能にするように動作する少なくとも１つのスイッチングデバイスを有するスイッチング回路とを含む、切り換え可能インダクタンス回路と、
前記少なくとも１つの大面積固体光源に電力が最初に印加される際に、起動期間の少なくとも一部分の間、電流が前記インダクタンスを通って前記電源から前記少なくとも１つの大面積固体光源に至ることを可能にするために、前記少なくとも１つのスイッチングデバイスを前記第２の状態に維持するように、前記少なくとも１つのスイッチングデバイスに動作的に結合された制御要素と
を備える、電子駆動装置。
【請求項２】
前記電源が、前記少なくとも１つの大面積固体光源に電力供給するためにＤＣ電流を供給するように動作するＤＣ電源である、請求項１記載の駆動装置。
【請求項３】
前記電源と前記切り換え可能インダクタンス回路の間に結合されたパワースイッチをさらに備え、前記パワースイッチは、第１の状態では電流が前記電源から前記切り換え可能インダクタンス回路に流れるのを可能にし、第２の状態では電流が前記電源から前記切り換え可能インダクタンス回路に流れるのを防ぐように動作可能であり、前記制御要素は、前記パワースイッチに動作的に結合され、起動期間には、前記少なくとも１つの大面積固体光源に最初に電力を印加するために前記パワースイッチを前記第１の状態にする前に、前記少なくとも１つのスイッチングデバイスを前記第２の状態にするように動作可能である、請求項１記載の駆動装置。
【請求項４】
前記制御要素は、前記パワースイッチを前記第１の状態にした後にゼロでない時間の間、前記インダクタンスをバイパスするために前記少なくとも１つのスイッチングデバイスを前記第１の状態にするように動作する、請求項３記載の駆動装置。
【請求項５】
前記少なくとも１つの大面積固体光源の電気的条件を示す帰還信号を前記制御要素に供給する帰還回路をさらに備え、前記制御要素は、少なくとも部分的に前記帰還信号に応じて、前記パワースイッチを前記第１の状態にした後に、前記インダクタンスをバイパスするために前記少なくとも１つのスイッチングデバイスを前記第１の状態にするように動作する、請求項３記載の駆動装置。
【請求項６】
前記切り換え可能インダクタンス回路が、前記電源と前記少なくとも１つの大面積固体光源の間に互いに直列に結合された複数のインダクタンスを含み、前記スイッチング回路は、第１の状態では前記インダクタンスのうちの対応する１つをバイパスし、第２の状態では電流が前記インダクタンスのうちの前記対応する１つを通って前記電源から前記少なくとも１つの大面積固体光源に至ることを可能にするように個々に動作する、対応する複数のスイッチングデバイスを備え、前記制御要素は、前記少なくとも１つの大面積固体光源に電力が最初に印加される際に、前記起動期間の少なくとも一部分の間、電流が前記インダクタンスのうちの前記対応する１つを通って前記電源から前記少なくとも１つの大面積固体光源に至ることを可能にするために、前記スイッチングデバイスのうちの少なくとも１つを前記第２の状態に維持するように動作する、請求項１記載の駆動装置。
【請求項７】
前記電源と前記切り換え可能インダクタンス回路の間に結合されたパワースイッチをさらに備え、前記パワースイッチは、第１の状態では電流が前記電源から前記切り換え可能インダクタンス回路に流れるのを可能にし、第２の状態では電流が前記電源から前記切り換え可能インダクタンス回路に流れるのを防ぐように動作可能であり、前記制御要素は、前記パワースイッチに動作的に結合され、起動期間には、前記少なくとも１つの大面積固体光源に最初に電力を印加するために前記パワースイッチを前記第１の状態にする前に、前記スイッチングデバイスのうちの少なくとも１つを前記第２の状態にするように動作可能である、請求項６記載の駆動装置。
【請求項８】
前記制御要素は、前記パワースイッチを前記第１の状態にした後にゼロでない時間、前記インダクタンスのうちの前記対応する１つをバイパスするために前記スイッチングデバイスのうちの少なくとも１つを前記第１の状態にするように動作する、請求項７記載の駆動装置。
【請求項９】
前記少なくとも１つの大面積固体光源の電気的条件を示す帰還信号を前記制御要素に供給する帰還回路をさらに備え、前記制御要素は、少なくとも部分的に前記帰還信号に応じて、前記パワースイッチを前記第１の状態にした後に、前記インダクタンスのうちの前記対応する１つをバイパスするために前記スイッチングデバイスのうちの少なくとも１つを前記第１の状態にするように動作する、請求項７記載の駆動装置。
【請求項１０】
前記少なくとも１つの大面積固体光源の電気的条件を示す帰還信号を前記制御要素に供給する帰還回路をさらに備え、前記制御要素は、前記少なくとも１つの大面積固体光源の動作中に少なくとも部分的に前記帰還信号に応じて、電流が前記インダクタンスを通って前記電源から前記少なくとも１つの大面積固体光源に至ることを可能にするために、前記少なくとも１つのスイッチングデバイスを選択的に前記第２の状態にするように動作する、請求項１記載の駆動装置。
【請求項１１】
少なくとも１つの大面積固体光源に電力供給する方法であって、
電源と前記少なくとも１つの大面積固体光源との間にインダクタンスを結合するステップと、
前記インダクタンスを通って前記電源から前記少なくとも１つの大面積固体光源に電流を供給するステップと、
前記少なくとも１つの大面積固体光源に最初に電流が供給された後に、前記インダクタンスをバイパスするステップと
を含む方法。
【請求項１２】
前記少なくとも１つの大面積固体光源の電気的条件を検知するステップと、少なくとも部分的に前記検知した帰還条件に応じて前記インダクタンスをバイパスするステップとをさらに含む、請求項１１記載の方法。
【請求項１３】
前記パワースイッチを前記第１の状態にした後にゼロでない時間、前記インダクタンスがバイパスされる、請求項１１記載の方法。
【請求項１４】
前記少なくとも１つの大面積固体光源の電気的条件を検知するステップと、前記少なくとも１つの大面積固体光源の動作中に少なくとも部分的に前記帰還信号に応じて、電流が前記インダクタンスを通って前記電源から前記少なくとも１つの大面積固体光源に至ることを可能にするように、前記少なくとも１つのスイッチングデバイスを選択的に前記第２の状態にするステップとをさらに含む、請求項１１記載の方法。
【請求項１５】
少なくとも１つの大面積固体光源に電力供給するために電流を供給するように動作する電源と、
切り換え可能インダクタンス回路であって、前記電源と前記少なくとも１つの大面積固体光源との間に結合されたインダクタンスと、第１の状態では前記インダクタンスをバイパスし、第２の状態では電流が前記インダクタンスを通って前記電源から前記少なくとも１つの大面積固体光源に至ることを可能にするように動作する少なくとも１つのスイッチングデバイスを有するスイッチング回路とを含む、切り換え可能インダクタンス回路と、
前記少なくとも１つの大面積固体光源の電気的条件を示す帰還信号を供給する帰還回路と、
前記少なくとも１つのスイッチングデバイスに動作的に結合され、前記少なくとも１つの大面積固体光源の動作中に少なくとも部分的に前記帰還信号に応じて、電流が前記インダクタンスを通って前記電源から前記少なくとも１つの大面積固体光源に至ることを可能にするために前記少なくとも１つのスイッチングデバイスを選択的に前記第２の状態にするように前記帰還回路に結合された、制御要素と
を備える電子駆動装置。
【発明の詳細な説明】
【技術分野】
【０００１】
本願は、大面積固体ＬＥＤ用の電子駆動装置に関する。
【背景技術】
【０００２】
照明デバイスは、建物、道路、および他の区域の照明用途、および多様な標識および光学的表示用途に用いられる。有機発光ダイオード（ｏｒｇａｎｉｃ  ｌｉｇｈｔ−ｅｍｉｔｔｉｎｇ  ｄｉｏｄｅ：ＯＬＥＤ）などの大面積固体デバイスは、このような照明システム用途用にますます普及しつつある。これらの照明デバイスが商業的に存続できるかどうかは耐用寿命の長さにかかっており、したがって使用可能なデバイスの寿命を延ばすように、ＯＬＥＤおよび他の大面積固体照明デバイスの動作条件を改善することが望ましい。さらに直列接続されたＯＬＥＤは、しばしば、起動時に個々の素子が安定して照射しないという問題がある。したがって改善されたＯＬＥＤ駆動装置および、安定な照射、フリッカを制御し、早すぎるデバイス劣化を軽減する技法の必要性がある。
【先行技術文献】
【特許文献】
【０００３】
【特許文献１】米国特許出願第２００８／１２２７４８号明細書
【発明の概要】
【０００４】
本開示は、初期デバイスパワーアップ時の過大電流を減衰し、かつ／または光フリッカの問題を緩和するように適応型インダクタンス制御を実施するために、インダクタンスを光源負荷回路と直列に選択的に導入することができる、ＯＬＥＤおよび他の大面積固体光源に電力供給するための駆動装置および方法を提供する。
【０００５】
ＤＣ電源などの電源、ならびに電源と大面積固体光源の間に結合されたインダクタンスを有する切り換え可能インダクタンス回路を含む、電子駆動装置が提供される。スイッチング回路には、第１の状態ではインダクタンスを選択的にバイパスし、第２の状態では電流がインダクタンスを通って電源から光源に至ることを可能にするための１つまたは複数のスイッチングデバイスが設けられる。駆動装置はまた、光源に電力が最初に印加される際に、起動期間のすべてまたは一部分の間、スイッチングデバイスを第２の状態に維持する制御要素すなわちコントローラを含む。いくつかの実施形態は、電源と切り換え可能インダクタンス回路の間に結合されたパワースイッチを含み、コントローラは、光源に電力を印加するようにパワースイッチを動作させる前に、インダクタンスを電力回路内に接続する。一実施形態ではコントローラは、パワースイッチを第１の状態にした後にゼロでない時間、インダクタンスをバイパスし、他の実施形態ではコントローラは、帰還回路からの信号に応じてインダクタンスをバイパスする。一部の実施形態では切り換え可能インダクタンス回路は、起動期間の間にコントローラによって個々に結合することができる２つ以上のインダクタンスを含む。さらにコントローラは、その後の動作中に、検知したフリッカ条件に対処するなどのために、帰還信号に応じてインダクタンス（１つまたは複数）を回路内に選択的に含めるように動作することができる。
【０００６】
大面積固体光源に電力供給する方法が提供され、方法は、電源と少なくとも１つの大面積固体光源の間にインダクタンスを結合するステップと、インダクタンスを通って電源から光源に電流を供給するステップと、光源に最初に電流が供給された後にインダクタンスをバイパスするステップとを含む。いくつかの実施形態はさらに、光源の電気的条件を検知し、電流が定常状態に達した後に、少なくとも部分的に検知した帰還条件に応じてインダクタンスをバイパスするステップを含む。一部の実施形態では、パワースイッチを第１の状態にした後にゼロでない時間、インダクタンスはバイパスされ、他の実施形態では、光源の動作中に少なくとも部分的に帰還信号に応じて、電流がインダクタンスを通って電源から少なくとも１つの大面積固体光源に至ることを可能にする。
【０００７】
１つまたは複数の例示的実施形態について、以下の詳細な説明および図面で述べる。
【図面の簡単な説明】
【０００８】
【図１】切り換え可能インダクタンス回路を含む、大面積固体光源用の駆動装置を示す概略図である。
【図２】２つの別々に制御可能な直列インダクタンスを有する、切り換え可能インダクタンス回路を示す概略図である。
【図３】切り換え可能インダクタンス回路を有する、例示のＯＬＥＤ駆動装置を示す概略図である。
【図４】適応型インダクタンス制御を有しないＯＬＥＤ駆動装置の場合の起動電流曲線および電圧曲線を示すグラフである。
【図５】過大な起動電流レベルを低減するための適応型インダクタンス制御を有するＯＬＥＤ駆動装置の場合の起動電流曲線および電圧曲線を示すグラフである。
【図６】大面積固体光源に電力供給するための例示の方法を示すフロー図である。
【発明を実施するための形態】
【０００９】
次に、全体を通じて同じ参照番号は同じ要素を指すように用いられ、様々な特徴は必ずしも原寸に比例して描かれていない図面を参照すると、本開示は大面積固体光源に電力供給するための電子駆動装置および方法に関する。開示される概念は、有機ＬＥＤ（ＯＬＥＤ）光源または、大きな断面積を有する他の固体照明デバイスに関連して使用することができる。
【００１０】
図１は、ＯＬＥＤ（１つまたは複数）などの１つまたは複数の大面積固体光源１１０を電圧印加状態にするように電流を供給するための電源１３０を有する電子駆動装置１００を示す。駆動装置１００には、内部的に（たとえば電池、太陽電池などを通じて）電力供給することができる、または入力電源から変換することによって（たとえば図示されていない外部電源からの入力ＡＣ電力を変換する整流器など）ＤＣ出力電力を発生することができる、ＤＣ電源などの任意の適当な電源１３０を使用することができる。電源１３０は、出力端子１３０ａ（＋）および１３０ｂ（−）にＤＣ出力電圧を供給し、端子１３０ａ、１３０ｂの両端に結合された負荷にＤＣ電流を供給するように動作する。駆動装置１００はさらに、切り換え可能インダクタンス回路１２０と、駆動する光源１１０の劣化を有利に軽減しかつ／またはフリッカを低減するための適応型インダクタンス制御をもたらす制御要素１４０（たとえばマイクロコントローラ、マイクロプロセッサ、論理回路など）とを含む。出力端子１１２ａおよび１１２ｂは、駆動装置１００によって電流が供給されるときに、照明用途用の１つまたは複数のＯＬＥＤなどの大面積固体光源１１０のための接続をもたらす。
【００１１】
切り換え可能インダクタンス回路１２０は、電源１３０の正出力端子１３０ａと出力端子１１２ａの間に結合されたインダクタンスＬ、およびインダクタンスＬの両端に結合されたスイッチングデバイスＳＷ１を有するスイッチング回路を含む。スイッチングデバイスＳＷ１は、第１の（たとえば、閉じたまたは「オン」）状態ではインダクタンスＬをバイパスし、第２の（たとえば、開いたまたは「オフ」）状態では電流がインダクタンスＬを通って電源１３０から光源１１０に流れることを可能にするように動作する。制御要素１４０は、スイッチＳＷ１を動作させるための制御信号１４２を供給する。図示の実施形態の動作時はコントローラ１４０は、光源１１０に電力が最初に印加される際に、起動期間の少なくとも一部分の間、電流がインダクタンスＬを通って電源１３０から光源１１０に至ることを可能にするように、スイッチングデバイスＳＷ１を第２の（開いた）状態に維持する。
【００１２】
図示の駆動装置１００はさらに、電源１３０と切り換え可能インダクタンス回路１２０の間に結合されたパワースイッチＳＷＰを含み、パワースイッチＳＷＰは制御信号１４４を通じてコントローラ１４０から動作される。パワースイッチＳＷＰは、第１の（「オン」）状態では電流が電源１３０から切り換え可能インダクタンス回路１２０に流れるのを可能にし、第２の（「オフ」）状態では電流が電源１３０から切り換え可能インダクタンス回路１２０に流れるのを防ぐように動作する。コントローラ１４０はさらに、電流または電圧設定点、リセット信号などの、電源１３０の動作を制御するための１つまたは複数の制御信号／値１４６を供給することができる。
【００１３】
一部の実施形態では、帰還回路１５０によって１つまたは複数の帰還信号１５２を発生し、コントローラ１４０に供給することができる。第１の帰還回路１５０ａ（たとえば、シャントデバイス）は、光源負荷１１０を通って流れる負荷電流を検知することを可能にし、コントローラ１４０に電流帰還信号１５２ａ（ＩFB）を供給する。第２の帰還回路１５０ｂは、端子１１２ａ、１１２ｂに跨がって光源１１０に印加される出力電圧を検知し、電圧帰還信号１５２ｂ（ＶFB）をコントローラ１４０に供給する。コントローラ１４０は、光源１１０および／または電源１３０の動作の１つまたは複数の側面を推定または計算するために、これらの帰還信号の１つまたは両方を用いることができる。具体的にはコントローラ１４０は、帰還信号１５２の１つまたは複数を用いて、ＯＬＥＤタイプの光源１１０の静電容量変化、フリッカ条件、および／または過大電流レベルを検出することができる。一実施形態ではコントローラ１４０は、帰還を用いて負荷１１０の静電容量を検知または測定し、制御信号１４２を用いて必要に応じて電流が切り換え可能直列インダクタンスＬを通って流れることを選択的に可能にする。
【００１４】
図３は、ＯＬＥＤ負荷１１０を約５０ｍＡの公称動作電流レベルＩSSで駆動するように動作的に結合された駆動装置１００の一実施形態を示し、約３．７５ｍＨの切り換え可能／バイパス可能なインダクタンスＬを含む。ＯＬＥＤ１１０の静電容量（所与のＯＬＥＤ１１０の静電容量／印加電圧特性に対する補償を含む）、所望の動作電流レベルＩSS、既知のまたは想定した劣化／ストレス電流レベルＩD、および／または所与の実装形態に対する他の設計要因に基づいて、所望の起動電流プロファイルに適合するように他のインダクタンス値Ｌとすることができる。一実施例ではインダクタンスＬは、１５Ｖで動作する容量性ＯＬＥＤデバイス１１０に対して約０．１５ｕＨ／ｃｍ2以上に設定することができる。他の実施例ではインダクタンスＬは、１５Ｖで動作するＯＬＥＤ静電容量に対して約０．５ｍＨ／ｕＦに設定することができる。
【００１５】
動作時は起動期間の間、コントローラ１４０は制御信号１４２および１４４を発生して、パワースイッチＳＷＰを第１の（閉じた）状態にする前に、スイッチングデバイスＳＷ１を第２の（開いた）状態にし、それにより過大な起動電流が制限される。発明者らは、ＯＬＥＤタイプの固体照明デバイスは一般にかなりの静電容量からなり、さらにこのようなデバイス１１０はパワーアップ時に過大な電流サージを受けやすくなり得ることを認識した。図４は、パワースイッチＳＷＰを通じた電力の初期印加時に、回路１２０のインダクタンスＬがバイパスされた（たとえば、スイッチＳＷ１が開いた）ままとなる条件での、それぞれ起動電流曲線２０２および電圧曲線２０４を表すグラフ２００を示す。図４に示されるように図示の回路１２０およびコントローラ１４０の適応型インダクタンス制御の特徴がなく、電源１３０が最初にターンオンされるときに、容量性負荷１１０のために大きな電流サージを受ける場合があり、電流は有機界面を分離させることよってＯＬＥＤ１１０を劣化させ、動作寿命の減少または早期デバイス故障となる。たとえば電流２０２はゼロから、所望の定常状態動作電流レベルＩSSよりかなり高く、かつデバイス劣化が始まり得るストレスレベルＩDをはるかに超えた高い値まで上昇し得る。
【００１６】
また図５を参照すると、このような早すぎる劣化を軽減するために、コントローラ１４０は、電流サージを低減するために、容量性負荷１１０と直列になるようにインダクタンスＬを選択的に切り換える。図５のグラフ２１０は、適応型インダクタンス要素１２０および１４０を用いた起動時の駆動装置１００における電流曲線２１２および電圧曲線２１４をそれぞれ示す。具体的には一実施形態では、起動時に制御要素１４０は、パワースイッチＳＷＰを（制御信号１４４を通じて）活動化する前に、インダクタンスＬを直列負荷回路に挿入する（ＳＷ１を開く）ように制御信号１４２を発生する。この実施形態ではパワースイッチＳＷＰを閉じることによって電力が印加された後に、図２１０に示すようにコントローラ１４０は、パワースイッチＳＷＰを第１の状態にした後のゼロでない時間Ｔの間、スイッチングデバイスＳＷ１を第１の状態にしてインダクタンスＬをバイパスする。このようにして、付加されたインダクタンスＬは、曲線２１２が劣化／ストレスレベルＩＤより低いままとなり最終的に定常状態値（たとえば、約５０ｍＡ）に整定するように、電流の上昇を抑制する。電流のオーバーシュートと、整定時間要件または所与の用途の仕様とのトレードオフを考慮して、他のインダクタンス値Ｌを用いて任意の大きさの抑制をもたらすことができる。
【００１７】
他の実装形態では駆動装置１００は、電気的条件（たとえば電圧、電流、またはそれらから導出／推定される値）を示す帰還信号１５２をコントローラ１４０に供給するための帰還回路１５０を用いることができ、コントローラは、少なくとも部分的に帰還信号１５２に基づいて、（インダクタンスＬをバイパスするように）スイッチＳＷ１を選択的に閉じる。たとえばコントローラは、ＯＬＥＤ電流が定常状態レベルＩSSの周囲の一定の範囲内に整定したことを確かめることができ、次いで制御信号１４２を作動させてスイッチＳＷ１を閉じ、それによってインダクタンスＬをバイパスすることができる。
【００１８】
コントローラ１４０および切り換え可能インダクタンス回路１２０はまた、起動後に、照明デバイス１１０の動作中のフリッカまたは他の変化を制御するように動作することができる。たとえば帰還信号１５２を用いてコントローラ１４０は、動作電流を検知（かつ、たとえばその変化または変動を検知）し、少なくとも部分的に帰還信号（１つまたは複数）１５２に応じて、制御信号１４２を通じて追加のインダクタンスを回路内に選択的に導入することにより、駆動装置１００を適合させるように構成することができる。このようにしてコントローラ１４０は、光フリッカ条件を軽減するように、電源１３０からの品質が低下した出力（たとえば、増加したリップル電流レベルなど）を調整するように、または検知した負荷電圧および／または電流の変化に基づいてデバイス１１０自体の劣化に適応するように、動作を調整することができる。
【００１９】
次に図２を参照すると、駆動装置１００に使用することができる、２つの別々に制御可能な直列インダクタンスＬ１およびＬ２を有する、もう１つの例示の切り換え可能インダクタンス回路１２０が示される。任意の数のインダクタンスＬと、制御要素１４０が、光源駆動回路の直列インダクタンスの適応制御のためにインダクタンスを個々にまたはグループにて選択的に結合またはバイパスすることを可能にする、対応するスイッチング回路とを用いた他の実装形態が可能である。図２の実施例ではインダクタンスＬ１およびＬ２は、電源１３０と出力端子１１２ａの間で互いに直列に結合され、スイッチング回路は、コントローラ１４０からの第１および第２のスイッチング制御信号１４２ａおよび１４２ｂを通じて、第１の（閉じた）状態では関連するインダクタンスをバイパスし、第２の（開いた）状態では電流が対応するインダクタンスを通って電源１３０から出力端子１１２ａに至ることを可能にするように個々に動作する、対応するスイッチングデバイスＳＷ１およびＳＷ２を有する。いくつかの実施形態ではコントローラ１４０は、異なる構成可能な用途において異なるデバイス負荷１１０を駆動するためにインダクタンスＬ１およびＬ２の一方または他方を選択的に用いることができる（たとえば、Ｌ１の値は第１のＯＬＥＤ１１０を駆動するように適合され、Ｌ２の値は第２のＯＬＥＤ１１０を駆動するように適合される）。他の実施形態では、起動および／または定常状態動作において装置１００の動作を適合させるように任意の所望の適応型インダクタンス制御を実施するために、コントローラ１４０によって動作可能な適当な切り換え可能な相互接続を有して、電源１３０と出力端子１１２ａの間（および／または駆動装置１００の戻り経路）に、複数の直列および／または並列接続されたインダクタンスＬを配置することができる。
【００２０】
また図６を参照すると、１つまたは複数の大面積固体光源１１０に電力供給するための例示の方法３００が示される。方法３００は、３０２で電源と光源１１０の間にインダクタンスＬを結合するステップと、３０４でインダクタンスＬを通って電源１３０から光源１１０に電流を供給するステップを含む。３０６ではデバイス電流ＩFBなどの１つまたは複数の帰還値を検知することができ、３０８では光源１１０に電流を最初に印加した後にインダクタンスＬはバイパスされる。一実施形態では３０８でインダクタンスＬは、少なくとも部分的に３０６で検知された帰還条件に応じてバイパスされる。他の実装形態ではバイパスは、３０４で電力を印加した後に所与の時間（たとえば上記図５のゼロでない時間「Ｔ」）にて行うことができる。起動後に方法３００はさらに、３１０で電流または他の帰還値を検知するステップと、たとえば３１２で判定される検出したフリッカ条件に対処するために、光源１１０の動作中に、３１４で少なくとも部分的に帰還信号１５２に応じてインダクタンスＬを回路内に選択的に再び挿入する（たとえば上記図１および３のＳＷ１を開く）ステップとを含むことができる。
【００２１】
上記の実施例は本開示の様々な態様のいくつかの可能な実施形態を単に例示したものであり、本明細書および添付の図面を読み理解すれば当業者には等価な改変形態および／または変更形態が思い付くであろう。特に上述の構成要素（アセンブリ、デバイス、システム、回路など）によって行われる様々な機能に関しては、そのような構成要素を説明するために用いた用語（「手段」への言及を含む）は、特に明記しない限り、本開示の例示の実装形態での機能を行う開示された構造と構造的に等価でなくとも、記述された構成要素の特定の機能を行う（すなわち機能的に等価な）ハードウェア、ソフトウェア、またはそれらの組み合わせなどの、任意の構成要素に対応することが意図される。さらに、本開示の特定の特徴について、いくつかの実装形態のうちの１つだけに関して図示しかつ／または説明したが、このような特徴は、任意の所与のまたは特定の用途用に望ましくかつ有利となり得るように、他の実装形態の１つまたは複数の特徴と組み合わせることができる。さらに単一の構成要素または品目への言及は、特に明記しない限り２つ以上のそのような構成要素または品目を包含するものである。また、「含んでいる（ｉｎｃｌｕｄｉｎｇ）」、「含む（ｉｎｃｌｕｄｅｓ）」、「有している（ｈａｖｉｎｇ）」、「有する（ｈａｓ）」、「有する（ｗｉｔｈ）」またはそれらの変形は、「発明を実施するための形態」および／または「特許請求の範囲」にて用いられる範囲において、このような用語は「備える（ｃｏｍｐｒｉｓｉｎｇ）」という用語と同様に包含的であることが意図される。本発明について、好ましい実施形態に関連して述べてきた。先の詳細な説明を読み理解すれば他者が変更形態および改変形態を思い付くことは明らかである。本発明は、すべてのそのような変更形態および改変形態が含むと解釈されるものとする。
【符号の説明】
【００２２】
１００  電子駆動装置、駆動装置
１１０  大面積固体光源、負荷、ＯＬＥＤ
１１２ａ  出力端子
１１２ｂ  出力端子
１２０  切り換え可能インダクタンス回路
１３０  電源
１３０ａ  出力端子
１３０ｂ  出力端子
１４０  制御要素、コントローラ
１４２  制御信号
１４２ａ  スイッチング制御信号
１４２ｂ  スイッチング制御信号
１４４  制御信号
１４６  制御信号／値
１５０  帰還回路
１５０ａ  帰還回路
１５０ｂ  帰還回路
１５２  帰還信号
１５２ａ  電流帰還信号
１５２ｂ  電圧帰還信号
２００  グラフ
２０２  電流曲線
２０４  電圧曲線
２１０  グラフ
２１２  電流曲線
２１４  電圧曲線
【図１】
2013508892.tif 000003
【図２】
2013508892.tif 000004
【図３】
2013508892.tif 000005
【図４】
2013508892.tif 000006
【図５】
2013508892.tif 000007
【図６】
2013508892.tif 000008
【国際調査報告】
2013508892.tif 000009
2013508892.tif 000010
2013508892.tif 000011